(57)【要約】【課題】  本発明は、オーディオ信号の送信対象と受信対象との間で一方から他方の電源を制御できるようにする。【解決手段】  本発明は、オーディオアンプ２は、オーディオ信号Ｓ２よりも高周波帯域の高周波信号Ｓ１をＰＩＮケーブル４を介してサブウーファー３へ伝送し、当該サブウーファー３では当該高周波信号Ｓ１を受信して整流及び平滑することにより所定電位の整流電圧Ｖ１を取り出し、当該整流電圧Ｖ１によって当該サブウーファー３の電源リレー１６をオンオフ制御することにより、オーディオ信号Ｓ２よりも高周波帯域の高周波信号Ｓ１を用いてサブウーファー３に対し整流電圧Ｖ１を供給し、当該整流電圧Ｖ１によってサブウーファー３の電源を制御することができるので、オーディオ信号Ｓ２に対して悪影響を与えることなくオーディオアンプ２からサブウーファー３の電源管理を行うことができる。【選択図】        図２
2006140824.tif 000002
【特許請求の範囲】
【請求項１】
送信対象と受信対象との間を所定の伝送ケーブルによって接続し、当該伝送ケーブルを介してオーディオ信号を伝送するオーディオシステムであって、
上記送信対象は、
上記オーディオ信号よりも高周波帯域の高周波信号を生成する高周波信号生成手段と、
上記伝送ケーブルを介して上記送信対象から上記受信対象へ当該高周波信号を伝送する伝送手段と
を具え、
上記受信対象は、
上記送信対象から上記ケーブルを介して伝送された上記高周波信号を受信し、当該高周波信号を整流及び平滑することにより所定電位の直流電圧を取り出す整流平滑手段と、
上記直流電圧によって当該受信対象の電源をオン又はオフする電源リレーと
を具えることを特徴とするオーディオシステム。
【請求項２】
上記送信対象の上記伝送手段は、
上記高周波信号を上記オーディオ信号に重畳するミキサ回路
を具えることを特徴とする請求項１に記載のオーディオシステム。
【請求項３】
上記受信対象は、
上記高周波信号と上記オーディオ信号とが重畳された合成信号のうち当該オーディオ信号だけをフィルタにより抽出しスピーカから出力する
を具えることを特徴とする請求項１に記載のオーディオシステム。
【請求項４】
上記伝送手段は、上記オーディオ信号を電圧伝送すると共に上記高周波信号を電流伝送する
ことを特徴とする請求項１に記載のオーディオシステム。
【請求項５】
送信対象と受信対象との間を所定の伝送ケーブルによって接続し、当該伝送ケーブルを介してオーディオ信号を伝送するオーディオシステムの電源制御方法であって、
上記送信対象は、上記オーディオ信号よりも高周波帯域の高周波信号を生成する高周波信号生成ステップと、
上記伝送ケーブルを介して上記送信対象から上記受信対象へ当該高周波信号を伝送する伝送ステップと
を具え、
上記受信対象は、
上記送信対象から上記ケーブルを介して伝送された上記高周波信号を受信し、当該高周波信号を整流及び平滑することにより所定電位の直流電圧を取り出す整流平滑ステップと、
上記直流電圧によって当該受信対象の電源をオン又はオフする電源リレー制御ステップと
を具えることを特徴とする電源制御方法。
【発明の詳細な説明】
【技術分野】
【０００１】
本発明は、オーディオシステム及び電源制御方法に関し、例えばオーディオアンプとサブウーファーとをＰＩＮケーブルで有線接続したオーディオシステムに適用して好適なものである。
【背景技術】
【０００２】
従来、オーディオシステムにおいては、例えばオーディオアンプとサブウーファーとをＰＩＮケーブルで有線接続することによりシステムを構築することが一般的に行われている。
【０００３】
一方、送信ユニットと受信ユニットとの間を有線接続することに伴う配線作業を無くして設置作業の簡略化を図るため、当該送信ユニット及び当該受信ユニット間をワイヤレス接続し、制御信号を送信信号に重畳させて音声信号の出力レベルをコントロールするワイヤレス送受信システムがある（例えば、特許文献１参照）。
【特許文献１】特開2000-165961公報
【発明の開示】
【発明が解決しようとする課題】
【０００４】
ところでかかる構成のオーディオシステムにおいては、当該オーディオアンプからサブウーファーの電源をオンオフさせることはできず、当該サブウーファーの電源スイッチによりオンオフせざるを得ない。
【０００５】
そこでオーディオシステムにおいて、オーディオアンプからサブウーファーの電源をオンオフさせるためにはＰＩＮケーブルに直流電圧を重畳してサブウーファーへ伝送し、当該サブウーファー側で直流電圧を基に電源リレーをオンオフすることが考えられる。
【０００６】
しかしながらＰＩＮケーブルにおいては、直流電圧を重畳することは一般的に制限されており、当該ＰＩＮケーブルを介してサブウーファーの電源リレーをオンオフすることは物理的に不可能であるため、オーディオアンプ側からサブウーファーの電源を管理することができず、ユーザの使い勝手が悪いという問題があった。
【０００７】
本発明は以上の点を考慮してなされたもので、オーディオ信号の送信対象と受信対象との間で電源を制御し得るオーディオシステム及び電源制御方法を提案しようとするものである。
【課題を解決するための手段】
【０００８】
かかる課題を解決するため本発明においては、送信対象と受信対象との間でオーディオ信号を伝送するオーディオシステムであって、送信対象は、オーディオ信号を伝送する際に用いられる所定の伝送ケーブルと、オーディオ信号よりも高周波帯域の高周波信号を生成し、ケーブルによって送信対象から受信対象へ当該高周波信号を伝送する伝送手段とを具え、受信対象は、送信対象からケーブルを介して伝送された高周波信号を受信し、当該高周波信号を整流及び平滑することにより所定電位の直流電圧を取り出す整流平滑手段と、直流電圧によって当該受信対象の電源をオン又はオフする電源リレーとを具えることにより、オーディオ信号よりも高周波帯域の高周波信号を用いて受信対象に対し直流電圧を供給し、当該直流電圧によって受信対象の電源を制御することができるので、オーディオ信号に対して悪影響を与えることなく受信対象の電源管理を行うことができる。
【０００９】
また本発明においては、送信対象と受信対象との間を所定の伝送ケーブルによって接続し、当該伝送ケーブルを介してオーディオ信号を伝送するオーディオシステムの電源制御方法であって、送信対象は、オーディオ信号よりも高周波帯域の高周波信号を生成する高周波信号生成ステップと、伝送ケーブルを介して送信対象から受信対象へ当該高周波信号を伝送する伝送ステップとを具え、受信対象は、送信対象からケーブルを介して伝送された高周波信号を受信し、当該高周波信号を整流及び平滑することにより所定電位の直流電圧を取り出す整流平滑ステップと、直流電圧によって当該受信対象の電源をオン又はオフする電源リレー制御ステップとを設けることにより、オーディオ信号よりも高周波帯域の高周波信号を用いて受信対象に対し直流電圧を供給し、当該直流電圧によって受信対象の電源を制御することができるので、オーディオ信号に対して悪影響を与えることなく受信対象の電源管理を行うことができる。
【発明の効果】
【００１０】
本発明によれば、オーディオ信号よりも高周波帯域の高周波信号を用いて受信対象に対し直流電圧を供給し、当該直流電圧によって受信対象の電源を制御することができるので、オーディオ信号に対して悪影響を与えることなく受信対象の電源管理を実行し得るオーディオシステム及び電源制御方法を実現することができる。
【発明を実施するための最良の形態】
【００１１】
以下、図面について、本発明の一実施の形態を詳述する。
【００１２】
（１）第１の実施の形態
（１−１）第１の実施の形態におけるオーディオシステムの全体構成
図１において、１は全体としてオーディオシステムを示し、オーディオアンプ２とサブウーファー３とがＰＩＮケーブル４によって有線接続されており、当該オーディオアンプ２からＰＩＮケーブル４を介してオーディオ信号をサブウーファー３へ伝送し、当該サブウーファー３から当該オーディオ信号の低域成分を出力するようになされている。
【００１３】
またオーディオアンプ２には、サブウーファー３の電源を当該オーディオアンプ２側からコントロールするためのサブウーファー電源ボタン５が設けられており、当該サブウーファー電源ボタン５の押下操作に応じてサブウーファー３の電源をオン又はオフさせ得るようになされている。
【００１４】
（１−２）第１の実施の形態におけるオーディオシステムの回路構成
図２に示すように、オーディオシステム１のオーディオアンプ２は、方形波オシレータ１１によって生成された例えば２０[KHz]のＰＷＭ(Pulse Wide Modulation)信号からなる非可聴域の高周波信号Ｓ１をスイッチ回路ＳＷ１を介してミキサ回路１２へ送出すると共に、アナログのオーディオ信号Ｓ２をミキサ回路１２へ送出する。
【００１５】
ここでオーディオアンプ２は、サブウーファー３の電源をオーディアンプ２側から制御するためのサブウーファー電源ボタン５（図１）がユーザによって押下操作されたときにスイッチ回路ＳＷ１を閉状態にして高周波信号Ｓ１をミキサ回路１２へ出力するのに対し、それ以外のときにはスイッチ回路ＳＷ１を開状態にして高周波信号Ｓ１をミキサ回路１２へ出力することはない。
【００１６】
ミキサ回路１２は、図３（Ａ）に示す高周波信号Ｓ１と、図３（Ｂ）に示すオーディオ信号Ｓ２とをミキシングして合成信号Ｓ３を生成し、これをアンプ１３を介して所定レベルに増幅することにより図３（Ｃ）に示すような合成信号Ｓ４を生成し、これをＰＩＮケーブル４によってサブウーファー３へ伝送する。
【００１７】
ここでオーディオアンプ２では、アンプ１３の入力インピーダンスが非常に高く、高周波信号Ｓ１及びオーディオ信号Ｓ２を電圧伝送するようになされており、これにより当該高周波信号Ｓ１及びオーディオ信号Ｓ２の変動を防止するようになされている。
【００１８】
サブウーファー３では、ＰＩＮケーブル４を介してオーディオアンプ２から供給された合成信号Ｓ４を抵抗Ｒ１及びコンデンサＣ１からなるローパスフィルタＬＰＦへ送出すると共に、倍電圧整流回路１４へ送出する。
【００１９】
ローパスフィルタＬＰＦでは、合成信号Ｓ４の低域成分だけを通過させ、アンプ１５を介して増幅した後、図３（Ｄ）に示すようなスピーカ出力信号Ｓ５として後段のスピーカ（図示せず）へ出力するようになされている。
【００２０】
倍電圧整流回路１４は、直列接続された平滑素子としてのコンデンサＣ２及びＣ３と、直列接続された整流素子としてのダイオードＤ１及びＤ２から主に構成されており、コンデンサＣ２とダイオードＤ１、Ｄ２との間には、ローパスフィルタＬＰＦの抵抗Ｒ１及びダイオードＤ１、Ｄ２を保護するための抵抗Ｒ２が接続されている。
【００２１】
この倍電圧整流回路１４では、図３（Ｅ）に示すように、整流素子としてのダイオードＤ１及びＤ２により当該合成信号Ｓ４の２倍の整流電圧Ｖ１を得ることができ、これによってサブウーファー３の電源リレー１６をオンオフ制御するようになされている。
【００２２】
ところで倍電圧整流回路１４のコンデンサＣ２については、２０[KHz]以下の信号（この場合、可聴域のオーディオ信号）については通過させることなく阻止するようになされており、合成信号Ｓ４のうち高周波信号Ｓ１に相当する信号成分だけを入力し、当該合成信号Ｓ４のうちオーディオ信号Ｓ２に相当する低周波成分についてはローパスフィルタＬＰＦにのみ入力するようになされている。
【００２３】
（１−３）第１の実施の形態における動作及び効果
以上の構成において、オーディオシステム１では、ミキサ回路１２で高周波信号Ｓ１とオーディオ信号Ｓ２とをミキシングして得られた合成信号Ｓ３をアンプ１３で増幅することにより合成信号Ｓ４を生成し、これをＰＩＮケーブル４によりサブウーファー３へ伝送する。
【００２４】
サブウーファー３では、ローパスフィルタＬＰＦを介して合成信号Ｓ４の低域成分だけを通過させ、スピーカ出力信号Ｓ５として後段のスピーカ（図示せず）へ出力する。
【００２５】
またサブウーファー３では、倍電圧整流回路１４により合成信号Ｓ４の２倍の整流電圧Ｖ１を得、これを用いて電源リレー１６をオンオフ制御することができる。
【００２６】
従ってオーディオシステム１のオーディオアンプ２では、サブウーファー３の電源を制御するためのパワーとなる高周波信号Ｓ１をＰＩＮケーブル４により伝送することができるので、当該オーディオアンプ２からサブウーファー３の電源管理を行うことができる。
【００２７】
また、このときオーディオシステム１のオーディオアンプ２では、可聴帯域のオーディオ信号Ｓ２よりも周波数帯域の高い例えば２０[KHz]の高周波信号Ｓ２を用いると共に、ローパスフィルタＬＰＦを介して合成信号Ｓ４の低域成分だけをスピーカ出力信号Ｓ５として出力するようにしたことにより、オーディオ信号Ｓ２に対しては高周波信号Ｓ１による悪影響を及ぼすことなくサブウーファー３の電源リレー１６をオンオフ制御することができる。
【００２８】
以上の構成によれば、ＰＩＮケーブル４を用いてオーディオアンプ２からサブウーファー３の電源管理を実行し得る使い勝手に優れたオーディオシステム１を実現することができる。
【００２９】
（２）第２の実施の形態
（２−１）第２の実施の形態におけるオーディオシステムの全体構成
ところで第１の実施の形態におけるオーディオシステム１では、オーディオアンプ２においてオーディオ信号Ｓ２を増幅するためのアンプ１３を用いて高周波信号Ｓ１についても併せて増幅しているが、サブウーファー３の電源リレー１６をオンオフ制御する際に必要なパワーを得るのに不十分な場合もある。
【００３０】
そこで図１に示したように第２の実施の形態におけるオーディオシステム３１では、高周波信号Ｓ１を、電源リレー１６をオンオフ制御するのに十分レベルに予め増幅してからサブウーファー３へ伝送しようとするものである。
【００３１】
因みに、第２の実施の形態におけるオーディオシステム３１においても、第１の実施の形態におけるオーディオシステム１と同じように、オーディオアンプ３２とサブウーファー３とがＰＩＮケーブル４によって有線接続された構成を有する。
【００３２】
（２−２）第２の実施の形態におけるオーディオシステムの回路構成
図２との対応部分に同一符号を付して示す図４において、オーディオシステム３１のオーディオアンプ３２は、方形波オシレータ１１によって生成された非可聴域の高周波信号（例えば２０[KHz]）Ｓ１をスイッチ回路ＳＷ１へ供給する。
【００３３】
スイッチ回路ＳＷ１は、サブウーファー３の電源をオーディアンプ３２側から制御するためのサブウーファー電源ボタン５がユーザによって押下操作されたときに閉状態にして高周波信号Ｓ１を増幅回路３３へ送出するのに対し、それ以外のときにはスイッチ回路ＳＷ１を開状態にして高周波信号Ｓ１を増幅回路３３へ送出することはない。
【００３４】
増幅回路３３では、高周波信号Ｓ１をバイアス抵抗Ｒ１１を介してＮＰＮ型トランジスタＴｒ１（以下、これをトランジスタＴｒ１と呼ぶ）へ送出すると共に、バイアス抵抗Ｒ１２を介してＰＮＰ型トランジスタＴｒ２（以下、これをトランジスタＴｒ２と呼ぶ）へ送出する。なお、このバイアス抵抗Ｒ１１及びＲ１２は、抵抗Ｒ１３を介してグランド接続されている。
【００３５】
ここでトランジスタＴｒ１及びＴｒ２は、スイッチング素子として用いられており、高周波信号Ｓ１におけるプラスの駆動電圧信号が与えられたときにトランジスタＴｒ１がオン動作し、高周波信号Ｓ１におけるマイナスの駆動電圧信号が与えられたときにトランジスタＴｒ２がオン動作するようになされている。
【００３６】
トランジスタＴｒ１は、そのコレクタがコレクタ抵抗Ｒ１４を介してトランジスタＱ１のコレクタ及びベースに接続されると共にトランジスタＱ２のベースに接続され、当該トランジスタＱ１及びＱ２のエミッタがエミッタ抵抗Ｒ１５及びＲ１６を介してプラス電源Ｖｃｃに接続されている。
【００３７】
ここでトランジスタＱ１及びＱ２は、カレントミラー回路を構成しており、トランジスタＴｒ１が高周波信号Ｓ１におけるプラスの駆動電圧信号によってオン動作すると、トランジスタＱ１のコレクタ抵抗Ｒ１５に発生するのと同じ電圧がトランジスタＱ２のコレクタ抵抗Ｒ１６に発生するように当該トランジスタＱ２のエミッタ及びコレクタ間に電流が流れるようになされている。
【００３８】
トランジスタＴｒ２は、そのコレクタがコレクタ抵抗Ｒ１７を介してトランジスタＱ３のコレクタ及びベースに接続されると共にトランジスタＱ４のベースに接続され、当該トランジスタＱ３及びＱ４のエミッタがエミッタ抵抗Ｒ１８及びＲ１９を介してマイナス電源Ｖｓｓに接続されている。
【００３９】
この場合もトランジスタＱ３及びＱ４も、カレントミラー回路を構成しており、トランジスタＴｒ２が高周波信号Ｓ１におけるマイナスの駆動電圧信号によってオン動作すると、トランジスタＱ３のエミッタ及びコレクタ間に流れる電流量と同じ電流がトランジスタＱ４のエミッタ及びコレクタ間に流れる。
【００４０】
従ってオーディオアンプ３２は、高周波信号Ｓ１におけるプラスの駆動電圧信号によって増幅回路３３のトランジスタＴｒ１がオン動作したときには、トランジスタＱ１のエミッタ及びコレクタ間に流れる電流量と同じ電流がトランジスタＱ２のエミッタ及びコレクタ間に流れるため、当該トランジスタＱ２のコレクタ電流が高周波出力Ｓ１０として出力端Ｔ１から出力されることになる。
【００４１】
同様にオーディオアンプ３２は、高周波信号Ｓ１におけるマイナスの駆動電圧信号によって増幅回路３３のトランジスタＴｒ２がオン動作したときには、トランジスタＱ３のエミッタ及びコレクタ間に流れる電流量と同じ電流がトランジスタＱ４のエミッタ及びコレクタ間に流れるため、当該トランジスタＱ４のコレクタ電流が高周波出力Ｓ１０として出力端Ｔ１から出力されることになる。
【００４２】
ここでオーディオアンプ３２は、アンプ１３の出力側からみると増幅回路３３におけるカレントミラー回路の出力インピーダンスが非常に高いため、オーディオ信号Ｓ２が増幅回路３３に漏れ込むことがなく、結果的に高周波信号Ｓ１の変動を防止するようになされている。
【００４３】
一方、オーディオアンプ３２は、アナログのオーディオ信号Ｓ２をアンプ１３を介して所定レベルに増幅した後、コイルＬ１を介してオーディオ信号Ｓ１１として出力し、増幅回路３３によって高周波信号Ｓ１が増幅された結果得られた高周波出力Ｓ１０と当該オーディオ信号Ｓ１１とを合成点Ｔ２で合成することにより図３（Ｃ）に示したような合成信号Ｓ１２を生成し、これをＰＩＮケーブル４を介してサブウーファー３へ伝送する。
【００４４】
因みに、この場合のオーディオアンプ３２においても、アンプ１３の入力インピーダンスが非常に高く、オーディオ信号Ｓ２を電圧伝送するようになされており、これによりオーディオ信号Ｓ２の変動を防止するようになされている。
【００４５】
なおコイルＬ１は、アンプ１３から出力されたオーディオ信号Ｓ１１が当該アンプ１３に逆流することを防止している。
【００４６】
このオーディオアンプ３２では、増幅回路３３の入力インピーダンスが低く出力インピーダンスが高いため高周波信号Ｓ１を電流伝送とする一方、オーディオ信号Ｓ２を電圧伝送し、当該高周波信号Ｓ１については増幅回路３３により所定レベルに増幅することによりサブウーファー３の電源リレー１６をオンオフ制御するために必要な電圧レベルを確保し得るようになされている。
【００４７】
サブウーファー３では、第１の実施の形態と同様、ＰＩＮケーブル４を介してオーディオアンプ３２から供給された合成信号Ｓ１２を抵抗Ｒ１及びコンデンサＣ１からなるローパスフィルタＬＰＦへ送出すると共に、倍電圧整流回路１４へ送出する。
【００４８】
ローパスフィルタＬＰＦでは、合成信号Ｓ１２の低域成分だけを通過させ、アンプ１５を介して増幅した後、図３（Ｄ）に示したようなスピーカ出力信号Ｓ１３として後段のスピーカ（図示せず）へ出力するようになされている。
【００４９】
倍電圧整流回路１４は、直列接続された平滑素子としてのコンデンサＣ２及びＣ３と、直列接続された整流素子としてのダイオードＤ１及びＤ２から主に構成されており、コンデンサＣ２とダイオードＤ１、Ｄ２との間には、ローパスフィルタＬＰＦの抵抗Ｒ１及びダイオードＤ１、Ｄ２を保護するための抵抗Ｒ２が接続されている。
【００５０】
この倍電圧整流回路１４では、図３（Ｅ）に示したように、整流素子としてのダイオードＤ１及びＤ２により当該合成信号Ｓ１２の２倍の整流電圧Ｖ２を得ることができ、これによってサブウーファー３の電源リレー１６をオンオフ制御するようになされている。
【００５１】
ところで倍電圧整流回路１４のコンデンサＣ１については、２０[KHz]以下の信号（この場合、可聴域のオーディオ信号）については通過させることなく阻止するようになされており、合成信号Ｓ１２のうち高周波信号Ｓ１に相当する信号成分だけを入力し、当該合成信号Ｓ１２のうちオーディオ信号Ｓ２に相当する低周波成分についてはローパスフィルタＬＰＦにのみ入力するようになされている。
【００５２】
（２−３）動作及び効果
以上の構成において、オーディオシステム３１のオーディオアンプ３２では、高周波信号Ｓ１を増幅回路３３で所定レベルに増幅することにより、サブウーファー３の電源リレー１６をオンオフ制御するために十分な電圧レベルの高周波出力Ｓ１０を得、当該高周波出力Ｓ１０とアンプ１３を介して増幅したオーディオ信号Ｓ１１とを合成点Ｔ２で合成することにより合成信号Ｓ１２を生成することができる。
【００５３】
このときオーディオアンプ３２では、コイルＬ１によりオーディオ信号Ｓ１１の逆流を防止すると共に、増幅回路３３の出力端Ｔ１におけるインピーダンスが非常に高くオーディオ信号Ｓ１１の逆流をも防止していることから、第１の実施の形態におけるミキサ回路１２を用いることなく合成信号Ｓ１２を生成することができる。
【００５４】
またオーディオアンプ３２では、第１の実施の形態のようにオーディオ信号Ｓ２を増幅するためのアンプ１３を用いて高周波信号Ｓ１を増幅するのではなく、増幅回路３３を用いてサブウーファー３の電源リレー１６をオンオフ制御し得るだけの電圧レベルに増幅することができるので、当該サブウーファー３の倍電圧整流回路１４によって取り出した整流電圧Ｖ２により確実に電源リレー１６をオンオフ制御することができる。
【００５５】
従ってオーディオシステム３１のオーディオアンプ３２では、サブウーファー３の電源を制御するためのパワーとなる高周波信号Ｓ１を増幅回路３３により電源リレー１６をオンオフ制御できるだけの電圧レベルに増幅してＰＩＮケーブル４により伝送することができるので、当該オーディオアンプ３２からサブウーファー３の電源管理を確実に実行することができる。
【００５６】
また、このときオーディオシステム３１のオーディオアンプ３２では、可聴帯域のオーディオ信号Ｓ２よりも周波数帯域の高い例えば２０[KHz]の高周波信号Ｓ２を用いると共に、ローパスフィルタＬＰＦを介して合成信号Ｓ１２の低域成分だけをスピーカ出力信号Ｓ１３として出力するようにしたことにより、オーディオ信号Ｓ２に対しては高周波信号Ｓ１による悪影響を及ぼすことなくサブウーファー３の電源リレー１６をオンオフ制御することができる。
【００５７】
以上の構成によれば、ＰＩＮケーブル４を用いてオーディオアンプ３２からサブウーファー３の電源管理を実行し得る使い勝手に優れたオーディオシステム３１を実現することができる。
【００５８】
（３）他の実施の形態
なお上述の第１及び第２の実施の形態においては、サブウーファー３で必要な周波数帯域よりも高い２０[KHz]の高周波信号Ｓ１を用いるようにした場合について述べたが、本発明はこれに限らず、例えば５０[KHz]や１００[KHz]の高周波信号Ｓ１を用いるようにしても良い。
【００５９】
また上述の第２の実施の形態においては、高周波信号Ｓ１を電流伝送し、オーディオ信号Ｓ２を電圧伝送するようにした場合について述べたが、本発明はこれに限らず、高周波信号Ｓ１をアンプ１３を介して電圧伝送し、オーディオ信号Ｓ２を増幅回路３３を介して電流伝送するようにしても良い。
【００６０】
さらに上述の第２の実施の形態においては、オーディオアンプ３２からサブウーファー３の電源リレー１６をオンオフ制御するようにした場合について述べたが、本発明はこれに限らず、サブウーファー３からオーディオアンプ３２の電源をオンオフ制御するようにしても良い。この場合、オーディオアンプ３２にローパスフィルタＬＰＦ、倍電圧整流回路１４を設けると共に、サブウーファー３に方形波オシレータ２、増幅回路３３、アンプ１３及びコイルＬ１を設ければよい。
【００６１】
さらに上述の第１及び第２の実施の形態においては、ＰＩＮケーブル４を用いて高周波信号Ｓ１を伝送するようにした場合について述べたが、本発明はこれに限らず、ＵＳＢ(Universal Serial Bus)ケーブルを用いて伝送するようにしても良い。
【００６２】
さらに上述の第１及び第２の実施の形態においては、本発明のオーディオシステム１、３１をオーディオアンプ２、３２とサブウーファー３とによって構成するようにした場合について述べたが、本発明はこれに限らず、オーディオアンプとイコライザーとによってオーディオシステムを構成したり、オーディオアンプとＣＤ(Compact Disc)プレーヤ等とによってオーディオシステムを構成し、オーディオアンプからイコライザーやＣＤプレーヤの電源を管理するようにしても良い。
【００６３】
さらに上述の実施の形態においては、本発明のオーディオシステムを、送信対象としてのオーディオアンプ２、３１、高周波信号生成手段としての方形波オシレータ１１、伝送ケーブルとしてのＰＩＮケーブル４、伝送手段としてのミキサ回路１２、アンプ１３若しくは増幅回路３３、アンプ１３によって構成し、受信対象としてのサブウーファー３を、整流平滑手段としての倍電圧整流回路１４、電源リレー１６によって構成するようにした場合について述べたが、本発明はこれに限らず、その他種々の回路構成でオーディオシステムを構成するようにしても良い。
【産業上の利用可能性】
【００６４】
本発明のオーディオシステム及び電源制御方法は、例えばオーディオ信号の送信対象であるオーディオアンプと、当該オーディオアンプとケーブル接続された受信対象であるサブウーファーとの間で他方の電源をコントロールする用途に適用することができる。
【図面の簡単な説明】
【００６５】
【図１】第１及び第２の実施の形態におけるオーディオシステムの全体構成を示す略線的斜視図である。
【図２】第１の実施の形態におけるオーディオシステムの回路構成を示す略線図である。
【図３】信号波形を示す略線図である。
【図４】第２の実施の形態におけるオーディオシステムの回路構成を示す略線図である。
【符号の説明】
【００６６】
１、３１……オーディオシステム、２……オーディオアンプ、３……サブウーファー、４……ＰＩＮケーブル、１１……方形波オシレータ、１２……ミキサ回路、１３、１５……アンプ、１４……倍電圧整流回路、３３……増幅回路。
【図１】
2006140824.tif 000003
【図２】
2006140824.tif 000004
【図３】
2006140824.tif 000005
【図４】
2006140824.tif 000006